(57)【要約】      （修正有）【課題】シュレッダーにおいて、進紙トンネルの幅を縮小し、一回に入紙トンネルに進入する紙の厚さが基準を超えることで、シャフトが引っ掛かり運転不能となることを防止し、或いは退紙時に紙をスムーズに退出させることができる紙詰まり防止装置を提供する。【解決手段】シュレッダーの紙詰まり防止装置は主に、ケース入紙口４１１下方周辺に相対し、該入紙口と平行に配置する軸棒１０を設置し、該軸棒上には若干の隔絶片２０を固設し、該各隔絶片は偏心方式で該軸棒上に固設する。操作者は制御モジュールを通して軸棒を制御し、ケース入紙口の方向へと転動させ、或いはケース入紙口の反対方向へと転動させ、こうして軸棒上の隔絶片はケースとシャフト４２の間の進紙トンネル４３に進入する。【選択図】図２
0003145197.tif 000002
【実用新案登録請求の範囲】
【請求項１】
軸棒、若干の隔絶片、制御モジュールを含み、
該軸棒はシュレッダーのケースの入紙口下方周辺に設置し、該入紙口と平行の方式で軸設置し、
該若干の隔絶片は偏心方式で該軸棒上に固設し、
該制御モジュールは該軸棒の正、反対回転及び該軸棒の転動角度を制御することを特徴とするシュレッダーの紙詰まり防止装置。
【請求項２】
請求項１記載のシュレッダーの紙詰まり防止装置において、前記制御モジュールは該軸棒軸端に固設し、しかもケース外部のプルハンドルへと相対延伸し構成することを特徴とするシュレッダーの紙詰まり防止装置。
【請求項３】
請求項１記載のシュレッダーの紙詰まり防止装置において、前記制御モジュールは該軸棒軸端に固定する伝動ギア、該伝動ギアとシャフトギアの間に設置する離合ギア、及び該離合ギアの動作を制御するスイッチにより構成することを特徴とするシュレッダーの紙詰まり防止装置。
【考案の詳細な説明】
【技術分野】
【０００１】
本考案はシュレッダーの紙詰まり防止装置に関する。特に操作者はシュレッダーの入紙トンネルの幅を変換可能で、これにより一回に入紙トンネルに進入する紙の厚さが基準を超えることで、シャフトが引っ掛かり運転不能となることを防止し、或いは退紙時に紙をスムーズに退出させることができるシュレッダーの紙詰まり防止装置に係る。
【背景技術】
【０００２】
周知のように、紙を破砕するシュレッダーの作動原理は、多数のカッティングブレード(cutting blades)を回転シャフト(rotary shafts)上に穿設し、モーターと伝動ギアボックス(motor and gear box)を利用し、平行で相対回転する該２本のシャフトを駆動し、通過する紙に対して鋏力を利用し、細長い形状にカットする。
【０００３】
該シュレッダーは機械カッティング方式の違いにより、現在主にストライプカットシュレッダー(stripe-cut shredders)とクロスカットシュレッダー(cross-cut shredders)の２種に区分される。
前者はカッティング用ブレードを回転シャフト上に排列し、紙を縦方向に細長い形状にカットするもので、後者のブレード上には１個以上のカギ状カッターを備え、しかもブレードは回転シャフト上において螺旋状に排列し、これにより縦方向に細長い形状にカットする他、横方向に裁断し粉砕状紙片とすることができる。
上記のストライプカットシュレッダー、クロスカットシュレッダーは共に、基本的にはカットアセンブリ、ケース、廃棄紙筒等の部品により構成する。また一般のシュレッダーのカットアセンブリは主にモーターと伝動ギアボックスを利用し、平行で、相対回転する該２本のシャフトを駆動し、通過する紙に対して鋏力を利用し、細長い形状にカットする。よって公知のシュレッダーの多くはケースの真上にシャフトと平行な入紙口を設置する。しかも、該入紙口の位置はおおむね２本のシャフトの間に位置し、これにより入紙口を経由し挿入される紙は直接２本のシャフトの間に進入する。
【０００４】
操作者はしばしばシュレッダーの使用時に、紙の破砕速度を加速するため、数枚の紙を一度に入紙口に入れることがある。しかし、破砕を必要とする多くの文書は、使用済みのため、辺縁がめくれ上がっており、文書全体をやや平らに伸ばしたとしても、文書を入紙口に入れる時、やはり多くの障害に遭遇する。よって、一般のシュレッダーケース上の入紙口の設計は比較的大きく、これにより使用者は紙を２本のシャフトの間に入れる便を図る。
【０００５】
シュレッダーの入紙トンネルはシュレッダーが一度に受け入れ可能な粉砕すべき紙の枚数よりはるかに大きく、加えて、操作者は毎回の進紙量を確実に手に取れるものでもないため、一度の進紙厚みが基準を超え、シャフトが引っ掛かり運転不能となり、紙が入紙トンネルに詰まり動かなくなる現象がしばしば発生する。
【考案の開示】
【考案が解決しようとする課題】
【０００６】
本考案の目的は、操作者は実際の必要に応じて、自らシュレッダーの入紙トンネル幅を変換可能で、これにより一回に入紙トンネルに進入する紙の厚さが基準を超えることで、シャフトが引っ掛かり運転不能となることを防止することができるシュレッダーの紙詰まり防止装置を提供することである。
【０００７】
前述の目的を達成する為、本考案は下記のシュレッダーの紙詰まり防止装置を提供する。
シュレッダーの紙詰まり防止装置は主に、シュレッダーのケース入紙口下方周辺に相対し、該入紙口と平行に配置する軸棒を設置し、該軸棒上には若干の隔絶片を固設し、該各隔絶片は偏心方式で該軸棒上に固設し、
該軸棒の軸端には制御モジュールを設置し、該軸棒の正、反対回転及び該軸棒の転動角度を制御し、
必要時には、操作者は制御モジュールを通して軸棒を制御し、ケース入紙口の方向へと転動させ、これにより該軸棒上の隔絶片はケースとシャフトの間の進紙トンネルに進入し、こうして進紙トンネルの幅を縮小し、一回に入紙トンネルに進入する紙の厚さが基準を超えることで、シャフトが引っ掛かり運転不能となることを防止することができ、
さらに、紙を退出させる必要がある時には、操作者は制御モジュールを通して、軸棒をケース入紙口と反対方向へと転動させ、こうして該軸棒上の隔絶片はケースとシャフト間の進紙トンネルから退出し、これにより進紙トンネルは元の幅を回復し、シュレッダーからの紙退出の便を図ることができる。
【課題を解決するための手段】
【０００８】
請求項１の考案は、軸棒、若干の隔絶片、制御モジュールを含み、
該軸棒はシュレッダーのケースの入紙口下方周辺に設置し、該入紙口と平行の方式で軸設置し、
該若干の隔絶片は偏心方式で該軸棒上に固設し、
該制御モジュールは該軸棒の正、反対回転及び該軸棒の転動角度を制御することを特徴とするシュレッダーの紙詰まり防止装置としている。
請求項２の考案は、請求項１記載のシュレッダーの紙詰まり防止装置において、前記制御モジュールは該軸棒軸端に固設し、しかもケース外部のプルハンドルへと相対延伸し構成することを特徴とするシュレッダーの紙詰まり防止装置としている。
請求項３の考案は、請求項１記載のシュレッダーの紙詰まり防止装置において、前記制御モジュールは該軸棒軸端に固定する伝動ギア、該伝動ギアとシャフトギアの間に設置する離合ギア、及び該離合ギアの動作を制御するスイッチにより構成することを特徴とするシュレッダーの紙詰まり防止装置としている。
【考案の効果】
【０００９】
本考案は一回に入紙トンネルに進入する紙の厚さが基準を超えることで、シャフトが引っ掛かり運転不能となることを防止し、或いは退紙時に紙をスムーズに退出させることができ、或いは退紙時に紙をスムーズに退出させることができる。
【考案を実施するための最良の形態】
【００１０】
本考案第一実施例で進紙トンネル幅を縮小する時の外観立体図である図１、本考案第一実施例で進紙トンネル幅を縮小する時の断面図である図２に示すように、本考案シュレッダーの紙詰まり防止装置は軸棒１０、若干の隔絶片２０、制御モジュール３０を含む。
該軸棒１０はシュレッダー４０のケース４１入紙口４１１下方周辺に設置し、該入紙口４１１と平行の方式で軸設置する。
該各隔絶片２０は偏伸方式で該軸棒１０上に固設する。
該制御モジュール３０は主に、該軸棒１０の正、反対回転及び該軸棒１０の回転角度を制御する。
【００１１】
図１、２に示す実施例では、該制御モジュール３０は該軸棒１０軸端に固設し、しかもケース４１外部へと相対し延伸するプルハンドル３１により構成する。これにより、操作者は該プルハンドル３１を上げる方式により、該軸棒１０を該ケース４１入紙口４１１の方向へと転動させ、こうして該軸棒１０上の隔絶片２０はケース４１とシャフト４２の間の進紙トンネル４３に相対進入する。これにより該進紙トンネル４３の幅を縮小し、一回に進入する紙の厚さが基準を超過することによる、該シャフト４２が引っ掛かり回転不能となることを防止することができる。
【００１２】
図３、４に示すように、紙を退出させる時には、操作者は該プルハンドル３１を上げる方式により該軸棒１０を該ケース４１入紙口４１１に対して反対の方向に転動させ、これにより該軸棒１０上の隔絶片２０は、該ケース４１と該シャフト４２の間の進紙トンネル４３から退出する。こうして該進紙トンネル４３は元の幅を回復し、シュレッダーからの紙の退出の便を図る。
さらに図５、６に示すように、本考案中の制御モジュール３０は該軸棒１０軸端に固設する伝動ギア３２、該伝動ギア３２とシャフトギア４２１の間に設置する離合ギア３３、該離合ギア３３の動作を制御するスイッチ(図示なし)により構成する。
【００１３】
操作者はスイッチにより、該伝動ギア３２と該シャフトギア４２１が伝動を構成するか否かを制御する。しかも該シャフト４２の正回転に対応する時、該軸棒１０を該ケース４１入紙口４１１方向に回転する角度に制御し、こうして該軸棒１０上の隔絶片２０が該ケース４１と該シャフト４２の間の進紙トンネル４３に対応し進入可能な程度に制御し、該進紙トンネル４３幅の微調整を行う。これにより、一回に進紙トンネル４３に進入する紙の厚さが基準を超えることで、該シャフト４２が引っ掛かり運転不能となることを防止可能な他、個人の習慣に応じて最適な使用方式に調整することができる。
【００１４】
さらに図７、８に示すように、該シャフト４２の反対回転時には、該軸棒１０を制御し、該ケース４１入紙口４１１の反対方向へと転動させる。これにより該軸棒１０上の隔絶片２０は該進紙トンネル４３から完全に退出し、該進紙トンネル４３は元の幅を回復し、シュレッダーからの紙退出の便を図ることができる。
【図面の簡単な説明】
【００１５】
【図１】本考案第一実施例で進紙トンネル幅を縮小する時の外観立体図である。
【図２】本考案第一実施例で進紙トンネル幅を縮小する時の断面図である。
【図３】本考案第一実施例で進紙トンネル幅を元に戻す時の外観立体図である。
【図４】本考案第一実施例で進紙トンネル幅を元に戻す時の断面図である。
【図５】本考案第二実施例で進紙トンネル幅を縮小する時の外観立体図である。
【図６】本考案第二実施例で進紙トンネル幅を縮小する時の断面図である。
【図７】本考案第二実施例で進紙トンネル幅を元に戻す時の外観立体図である。
【図８】本考案第二実施例で進紙トンネル幅を元に戻す時の断面図である。
【符号の説明】
【００１６】
１０  軸棒
２０  隔絶片
３０  制御モジュール
３１  プルハンドル
３２  伝動ギア
３３  離合ギア
４０  シュレッダー
４１  ケース
４１１  入紙口
４２  シャフト
４２１  シャフトギア
４３  トンネル
【図１】
0003145197.tif 000003
【図２】
0003145197.tif 000004
【図３】
0003145197.tif 000005
【図４】
0003145197.tif 000006
【図５】
0003145197.tif 000007
【図６】
0003145197.tif 000008
【図７】
0003145197.tif 000009
【図８】
0003145197.tif 000010